(57)【要約】【課題】インストラクターを介さずに複数のトレーニング領域を使用できるトレーニングシステムを提供する。【解決手段】トレーニングシステムは、環状に配置された第１〜第８トレーニング領域２６Ｂ1〜２６Ｂ8と、第１〜第８トレーニング領域２６Ｂ1〜２６Ｂ8の使用者が視認できる位置関係に配置され、複数のトレーニング領域の使用に関するトレーニング情報表示領域を有する第１〜第８出力部２３Ｂ1〜２３Ｂ8とを備える。【選択図】図４
2007181528.tif 000002
【特許請求の範囲】
【請求項１】
環状に配置された複数のトレーニング領域と、
前記複数のトレーニング領域の使用者が視認できる位置関係に配置され、前記複数のトレーニング領域の使用に関するトレーニング情報表示領域を有する出力部とを備えることを特徴とするトレーニングシステム。
【請求項２】
前記出力部は、前記使用者が選択したイメージ画像を表示するイメージ画像表示領域を有することを特徴とする請求項１に記載のトレーニングシステム。
【請求項３】
前記出力部は、第１インターバルごとに、前記複数のトレーニング領域の中で使用者が使用するトレーニング領域を、他のトレーニング領域に移動する指示を有する移動指示表示領域を有することを特徴とする請求項１に記載のトレーニングシステム。
【請求項４】
前記複数のトレーニング領域の数は偶数であり、有酸素運動を行うためのトレーニング領域と、無酸素運動を行うためのトレーニング領域とが交互に配置されたことを特徴とする請求項１に記載のトレーニングシステム。
【請求項５】
前記複数のトレーニング領域は、前記環状で且つ使用者が前記環状の外側を向くように配置されることを特徴とする請求項１に記載のトレーニングシステム。
【請求項６】
前記複数のトレーニング領域は、前記環状で且つ使用者が前記環状の内側を向くように配置されることを特徴とする請求項１に記載のトレーニングシステム。
【請求項７】
前記トレーニング情報表示領域は、前記トレーニング領域を使用する使用者に対応する使用者情報を有することを特徴とする請求項１に記載のトレーニングシステム。
【請求項８】
前記出力部は、前記複数のトレーニング領域の数と同じ数だけ配置されることを特徴とする請求項１に記載のトレーニングシステム。
【請求項９】
使用者ごとに選択された前記複数のトレーニング領域の負荷量に基づいて、前記複数のトレーニング領域の負荷量を調節するため情報を前記複数のトレーニング領域に送信する制御部をさらに備えることを特徴とする請求項１に記載のトレーニングシステム。
【発明の詳細な説明】
【技術分野】
【０００１】
本発明は、トレーニングシステムに関し、インストラクターを介さずに複数のトレーニング領域を複数の使用者が使用できるトレーニングシステムに関する。
【背景技術】
【０００２】
トレーニング領域と、トレーニング状況などを表示するモニターからなるトレーニングシステムが提案されている。
【０００３】
特許文献１は、トレーニング領域と、トレーニング状況に加えてトレーニング中に変化に富んだ多彩な表示が楽しめるモニターからなるトレーニングシステムを開示する。
【特許文献１】特開平０６−３０４２６７号公報
【発明の開示】
【発明が解決しようとする課題】
【０００４】
しかし、特許文献１の装置は、一台のトレーニング領域と一台のモニターで構成され、一種類のトレーニング内容を一人で黙々と行う必要があり、継続したトレーニングが困難である。
【０００５】
これに対して、環状に配置された複数のトレーニング領域が使用できる状況にあり、トレーニング領域の使用を指導するインストラクターが中央に配置されたトレーニングシステムもあるが、インストラクターのスキルによって差が生じる上、人件費がかかる経済的な問題も生ずる。
【０００６】
したがって本発明の目的は、インストラクターを介さずに複数のトレーニング領域を使用できるトレーニングシステムを提供することである。
【課題を解決するための手段】
【０００７】
本発明に係るトレーニングシステムは、環状に配置された複数のトレーニング領域と、複数のトレーニング領域の使用者が視認できる位置関係に配置され、複数のトレーニング領域の使用に関するトレーニング情報表示領域を有する出力部とを備える。
【０００８】
好ましくは、出力部は、使用者が選択したイメージ画像を表示するイメージ画像表示領域を有する。
【０００９】
また、好ましくは、出力部は、第１インターバルごとに、複数のトレーニング領域の中で使用者が使用するトレーニング領域を、他のトレーニング領域に移動する指示を有する移動指示表示領域を有する。
【００１０】
また、好ましくは、複数のトレーニング領域の数は偶数であり、有酸素運動を行うためのトレーニング領域と、無酸素運動を行うためのトレーニング領域とが交互に配置される。
【００１１】
また、好ましくは、複数のトレーニング領域は、環状で且つ使用者が環状の外側を向くように配置される。
【００１２】
また、好ましくは、複数のトレーニング領域は環状で且つ使用者が環状の内側を向くように配置される。
【００１３】
また、好ましくは、トレーニング情報表示領域は、トレーニング領域を使用する使用者に対応する使用者情報を有する。
【００１４】
また、好ましくは、出力部は、複数のトレーニング領域の数と同じ数だけ配置される。
【発明の効果】
【００１５】
以上のように本発明によれば、インストラクターを介さずに複数のトレーニング領域を使用できるトレーニングシステムを提供すことができる。
【発明を実施するための最良の形態】
【００１６】
以下、本実施形態について、図を用いて説明する。本実施形態におけるトレーニングシステム１は、使用者特定端末Ａ、第１〜第Ｎトレーニング部Ｂ1〜ＢNを備える（図１参照）。これらの装置は、インターネット、ＰＨＳ等、ネットワークを介して信号の送受信が可能である。Ｎは２以上の整数である。
【００１７】
使用者特定端末Ａは、制御部１１Ａ、入力部１２Ａ、出力部１３Ａ、及び記録部１４Ａを有するネットワーク接続が可能な装置である。
【００１８】
入力部１２Ａは、トレーニングを行う者（使用者）またはトレーニングシステム１の施設関係者などが、第１〜第Ｎトレーニング部Ｂ1〜ＢNの使用者（第１〜第Ｍ使用者Ｕ1〜ＵM）に関する情報（第１〜第Ｍ使用者情報ＩＵ1〜ＩＵM）を入力するのに使用される入力装置である。Ｍは１以上Ｎ以下の整数である。
【００１９】
入力部１２Ａを介して入力する情報（第１〜第Ｍ使用者情報ＩＵ1〜ＩＵM）は、使用者名称、使用者に対応して各トレーニング領域に設定する負荷量、トレーニング中に表示するイメージ画像の種類を有する。本実施形態における負荷量は、各トレーニング領域における負荷レベルや、動作回数などを言うものとする。
【００２０】
使用者に対応してトレーニング領域に設定する負荷量は、トレーニング領域ごとに異なる値を設定してもよいが、全体で平均的なレベルを負荷量として設定してもよい。
【００２１】
出力部１３Ａは、入力部１２Ａを介して入力された情報などを表示する出力装置である。
【００２２】
記録部１４Ａは、入力部１２Ａを介して入力された第１〜第Ｍ使用者Ｕ1〜ＵMに関する情報（第１〜第Ｍ使用者情報ＩＵ1〜ＩＵM）を記録する。記録部１４Ａには、後述するトレーニングプログラムがインストールされる。
【００２３】
第１〜第Ｍ使用者情報ＩＵ1〜ＩＵMのうち、トレーニング領域に設定した負荷量及びトレーニング中に表示するイメージ画像の種類は、入力部１２Ａの他、後述する第１〜第Ｎトレーニング部Ｂ1〜ＢNの第１〜第Ｎ入力部２２Ｂ1〜２２ＢNを介した入力により変更可能である。
【００２４】
制御部１１Ａは、使用者特定端末Ａの各部の制御の他、トレーニングプログラムを実行する。具体的には、制御部１１Ａは、記録部１４Ａに記録された第１〜第Ｍ使用者情報ＩＵ1〜ＩＵMを、第１〜第Ｍ使用者Ｕ1〜ＵMが使用している第１〜第Ｎトレーニング部Ｂ1〜ＢNのいずれかに、通信手段（不図示）を用いて、第１〜第Ｎトレーニング部Ｂ1〜ＢNに送信する。例えば、第ｍ使用者Ｕmが、第ｎトレーニング部Ｂnでトレーニングを行っている場合には、制御部１１Ａは、第ｍ使用者情報ＩＵmと第（ｍ−１）使用者情報ＩＵm-1とを、第ｎトレーニング部Ｂnに送信する。ｍは２以上Ｍ以下の整数である（ｍが１の場合は、第ｍ使用者情報ＩＵmと、第Ｍ使用者情報ＩＵMとを、第２トレーニング部Ｂnに送信する）。
【００２５】
制御部１１Ａは、第ｍ使用者Ｕmのトレーニング開始からの経過時間（第ｍ総トレーニング時間ｔｔm）を算出し、第ｍ使用者Ｕmがトレーニングを行っているトレーニング部に送信する。第ｍ使用者Ｕmのトレーニング開始時間は、第ｍ使用者Ｕmが最初にトレーニングを行う第ｎａトレーニング部Ｂnaの第ｎａ入力部２２Ｂnaを操作することにより特定され、トレーニング終了時間は、第ｍ使用者Ｕmが最後にトレーニングを行う第ｎｂトレーニング部Ｂnbの第ｎｂ入力部２２Ｂnbを操作することにより特定される。ｎａ、及びｎｂは、１以上Ｎ以下の整数である。トレーニング終了後、第ｍ総トレーニング時間ｔｔmは、記録部１４Ａに記録される。
【００２６】
制御部１１Ａは、第１インターバルｔａ１ごとに、使用者に現在使用中のトレーニング領域から隣接するトレーニング領域に移動する旨の指示を行うための移動指示情報ＩＴＲを、第１〜第Ｎトレーニング部Ｂ1〜ＢNに送信する。第１インターバルｔａ１は、１つのトレーニング領域でトレーニングを連続して行う時間で、３０秒程度のトレーニング時間に、隣接したトレーニング領域に移動する時間を加算した時間を設定するのが望ましい。
【００２７】
制御部１１Ａ、第ｍ総トレーニング時間ｔｔmの他、隣接するトレーニング領域への移動指示を行ってからのトレーニング時間（第１時間ｔ１）、及び第１インターバルｔａ１と第１時間ｔ１との差異（第２時間ｔ２）を算出し、第ｍ使用者Ｕmがトレーニングを行っているトレーニング部に送信する。
【００２８】
トレーニングプログラムは、第ｍ使用者Ｕmが使用する第ｎトレーニング領域２６Ｂnを有する第ｎトレーニング部Ｂnの第ｎ出力部２３Ｂnに、第ｍ使用者Ｕmに対応した情報（トレーニング情報、イメージ画像、移動指示）を表示する制御を行う機能を有する。
【００２９】
第１〜第Ｎトレーニング部Ｂ1〜ＢNは、トレーニングを行う者（使用者）が使用する領域で、第１〜第Ｎ制御部２１Ｂ1〜２１ＢN、第１〜第Ｎ入力部２２Ｂ1〜２２ＢN、第１〜第Ｎ出力部２３Ｂ1〜２３ＢN、及び第１〜第Ｎトレーニング領域２６Ｂ1〜２６ＢNを有するネットワーク接続が可能な装置である。
【００３０】
第ｎ制御部２１Ｂnは、第ｎトレーニング部Ｂnの各部の制御、特に第ｎ入力部２２Ｂnを介して入力された情報を、通信手段（不図示）を用いて、制御部１１Ａに送信する。送信された情報に基づいて、制御部１１Ａによって記録部１４Ａに記録した使用者情報が変更される。
【００３１】
第ｎ入力部２２Ｂnは、第ｍ使用者Ｕmのトレーニング開始及び終了を特定するための操作キー、第ｎトレーニング領域２６Ｂnでトレーニング中の第ｍ使用者Ｕmが第ｎトレーニング領域２６Ｂnの負荷量を調整するために使用される負荷量調整キー、第ｎトレーニング領域２６Ｂnでトレーニング中の第ｍ使用者Ｕmが第ｎ出力部２３Ｂnに表示させるイメージ画像を変更するために使用される画像名称変更キー、及び第ｎ出力部２３Ｂnの第ｎトレーニング情報表示領域２３１Ｂnに表示された使用者名称を確認する確認キーを有する入力装置である。
【００３２】
第ｎ出力部２３Ｂnは、第ｎトレーニング領域２６Ｂnでトレーニング中の第ｍ使用者Ｕmに対してトレーニング及び使用者に関する情報を表示する出力装置であり、第ｎトレーニング情報表示領域２３１Ｂn、及び第ｎイメージ画像表示領域２３２Ｂnを有する（図２参照）。また、第ｎ出力部２３Ｂnは、第ｎ移動指示表示領域２３３Ｂnを有する（図３参照）。第ｎ出力部２３Ｂnは、第ｎトレーニング領域２６Ｂnを使ってトレーニングを行う第ｍ使用者Ｕmが視認できる位置関係（例えば、トレーニング領域の使用者が対向する位置）に配置される。本実施形態では、第１〜第Ｎトレーニング領域２６Ｂ1〜２６ＢNを有する領域を囲む壁に、第１〜第Ｎ出力部２３Ｂ1〜２３ＢNカ゛配置される形態を説明するが（図４参照）、モニタースタンドを使ってトレーニング領域近傍に配置されてもよい。
【００３３】
第ｎトレーニング情報表示領域２３１Ｂnは、第ｎトレーニング領域２６Ｂnを使ってトレーニングを行う第ｍ使用者Ｕmの使用者名称、第ｍ総トレーニング時間ｔｔm、第１、第２時間ｔ１、ｔ２、及び第ｍ使用者Ｕmが使用する第ｎトレーニング領域２６Ｂnに設定された負荷量、及び第ｎトレーニング領域２６Ｂnの使用方法を表示する（図２参照）。従って、第１、第２時間ｔ１、ｔ２、及び第ｎトレーニング領域２６Ｂnの使用方法については、使用者に応じて表示内容が変化しないが、第ｍ使用者Ｕmの名称、第ｍ総トレーニング時間ｔｔm、及び第ｍ使用者Ｕmが使用する第ｎトレーニング領域２６Ｂnに設定された負荷量は、使用者に応じて表示内容が変化する。
【００３４】
図２は、第ｍ使用者Ｕmの使用者名称：山田  太郎、第ｍ総トレーニング時間ｔｔm：２５分５０秒（トレーニング時間）、第１時間ｔ１：３０秒（経過時間）、第２時間ｔ２：１０秒（残り時間）、第ｍ使用者Ｕmが使用する第ｎトレーニング領域２６Ｂnに設定された負荷量：レベル２、及び第ｎトレーニング領域２６Ｂnの使用方法（具体的内容は＊＊＊で省略）を第ｎトレーニング情報表示領域２３１Ｂnとして表示する形態を示す。この場合、第１インターバルｔａ１は４０秒である。
【００３５】
第ｎイメージ画像表示領域２３２Ｂnは、第ｍ使用者Ｕmが選択したイメージ画像、及びイメージ画像の種類（画像名称）を表示する。イメージ画像は、使用者が選択したＴＶ番組やビデオなどの動画像、または静止画像であり、関連する商品の広告画像を有しても良い。使用者は、トレーニング中に自身の嗜好に合ったイメージ画像を見ることが可能になり、単純なトレーニングの反復動作による飽きを解消させるメリットを有する。図２は、使用者の嗜好に合ったイメージ画像として山の風景を第ｎイメージ画像表示領域２３２Ｂnに表示させる形態を示す。
【００３６】
第ｎ移動指示表示領域２３３Ｂnは、移動指示情報ＩＴＲと、現在第ｎトレーニング領域２６Ｂnを使用している第ｍ使用者Ｕm（：山田太郎）に関する第ｍ使用者情報ＩＵmと、次に第ｎトレーニング領域２６Ｂnを使用する第（ｍ−１）使用者Ｕm-1（：田中一郎）に関する第（ｍ−１）使用者情報ＩＵm-1に基づいて、第ｍ使用者Ｕmに対して次に使用する第（ｎ＋１）トレーニング領域２６Ｂn+1に移動する旨の第ｎアウトメッセージＭＯnと、第ｍ−１使用者Ｕm-1に対して次に使用する第ｎトレーニング領域２６Ｂnに移動する旨の第ｎインメッセージＭＩnを有する。第ｎインメッセージＭＩnは、第（ｍ−１）使用者Ｕm-1が第ｎトレーニング領域２６Ｂnに移動完了後に第ｎ入力部２１Ｂnの使用者名称確認キーを押下する旨の指示を有する。
【００３７】
第ｎ出力部２３Ｂnが第ｎトレーニング情報表示領域２３１Ｂnと第ｎイメージ画像表示領域２３２Ｂnとを表示する状態から、第ｎ移動指示表示領域２３３Ｂnを表示する状態への第１切換は、第１インターバルｔａ１経過ごとに強制的に行われる。第ｎ出力部２３Ｂnが第ｎ移動指示表示領域２３３Ｂnを表示する状態から、第ｎトレーニング情報表示領域２３１Ｂnと第ｎイメージ画像表示領域２３２Ｂnとを表示する状態への第２切換は、第１切換後に第ｎ入力部２１Ｂnの使用者名称確認キーが押下されることにより行われるか、第１切換後の第２インターバルｔａ２経過後に強制的に行われる（ｔａ２＜ｔａ１）。第２インターバルｔａ２は、使用者が隣接するトレーニング領域へ移動する時間に対応するもので、図３では、第１インターバルｔａ１：４０秒に対して、第２インターバルｔａ２は１０秒に設定される。従って、この場合、移動時間を除いた実質的なトレーニング時間は３０秒である。
【００３８】
第１〜第Ｎトレーニング領域２６Ｂ1〜２６ＢNは、円、楕円、多角形などの環状に配置される。第１〜第Ｎトレーニング領域２６Ｂ1〜２６ＢNは、エアロビクスマシンなど使用者がトレーニングを行う領域であり、いずれも、使用者が環状の外側を向くように配置される。これにより、トレーニングを行う使用者同士が、顔を合わせることなくトレーニングを行うことが可能になる。第１〜第Ｎトレーニング領域２６Ｂ1〜２６ＢNは、エアロビクスマシンのようにトレーニングマシンでもよいが、機械器具に限定されず、使用者がその場で足踏みを行うなどのためのステップボードであってもよい。この場合、使用者が環状の外側を向くように、使用者が足踏みを行う方向を示す表示をトレーニング領域が有するのが望ましい。
【００３９】
第１〜第Ｎトレーニング領域２６Ｂ1〜２６ＢNのそれぞれは、使用者が設定した負荷量に基づいて負荷レベルが調整される。使用者が使用するトレーニング領域が第１インターバルｔａ１ごとに変わるため、トレーニング領域を使用する使用者が変わるごとに（第１インターバルｔａ１経過ごとに）負荷レベルは変更される。負荷レベルの変更は、制御部１１Ａから第ｎトレーニング部Ｂnに送信される第ｍ使用者情報ＩＵmが有する第ｍ使用者Ｕmが使用する第ｎトレーニング領域２６Ｂnの負荷量に関する情報に基づいて行われる。但し、トレーニング領域がステップボードのように負荷量を調整する必要が無い場合は、負荷レベル調整の為の情報送受信は行われない。
【００４０】
第（ｎ―１）トレーニング領域２６Ｂn―1と第ｎトレーニング領域２６Ｂnは隣接し（ｎは２以上Ｎ以下）、第Ｎトレーニング領域ＢNと第１トレーニング領域Ｂ1は隣接して配置される。
【００４１】
使用者は、第１インターバルｔａ１ごとに隣接するトレーニング領域に移動してトレーニングを行う。第１インターバルｔａ１が経過後に隣接するトレーニング領域に移動する旨の指示は、制御部１１Ａから送信される移動指示情報ＩＴＲ、第ｍ使用者情報ＩＵm、第（ｍ−１）使用者情報ＩＵm-1に基づいて、第１〜第Ｎ出力部２３Ｂ1〜２３ＢNにおける表示によって行われる。
【００４２】
第１〜第Ｎトレーニング領域２６Ｂ1〜２６ＢNのそれぞれは、別種類のトレーニングを行う装置または領域でもよいし、同じ種類のトレーニングを行う装置または領域でもよい。但し、使用者の飽きがこないように別種類のトレーニングを行う装置または領域であることが望ましい。
【００４３】
Ｎは偶数であり、有酸素運動を行うために使用されるトレーニング領域と、無酸素運動を行うために使用されるトレーニング領域とが隣接するように配置されるのが望ましい。
【００４４】
具体例を示す。具体例では、トレーニングシステム１がトレーニング部を８台（第１〜第８トレーニング部Ｂ1〜Ｂ8）有するものとして、すなわちＮが８であり、トレーニングシステム１の使用者が６名（第１〜第６使用者Ｕ1〜Ｕ6）居るものとして、すなわちＭが６であるとして説明する（図４参照）。
【００４５】
図４は、第１〜第８トレーニング部Ｂ1〜Ｂ8がある部屋の手前の壁を省略している。
【００４６】
第１〜第８出力部２３Ｂ1〜２３Ｂ8は、それぞれ、第１〜第８トレーニング領域２６Ｂ1〜２６Ｂ8でトレーニングを行う使用者が視認出来る位置として、第１〜第８トレーニング領域２６Ｂ1〜２６Ｂ8がある部屋の壁に配置される。
【００４７】
第１、第３、第５、第７トレーニング領域２６Ｂ1、２６Ｂ3、２６Ｂ5、２６Ｂ7は、有酸素運動を行うために使用されるトレーニング領域であって、第２、第４、第６、第８トレーニング領域２６Ｂ2、２６Ｂ4、２６Ｂ6、２６Ｂ8は、無酸素運動を行うために使用されるトレーニング領域である。
【００４８】
図４は、第１使用者Ｕ1が第５トレーニング領域２６Ｂ5においてトレーニングを行い、第２使用者Ｕ2が第６トレーニング領域２６Ｂ6においてトレーニングを行い、第３使用者Ｕ3が第７トレーニング領域２６Ｂ7においてトレーニングを行い、第４使用者Ｕ4が第８トレーニング領域２６Ｂ8においてトレーニングを行い、第５使用者Ｕ5が第１トレーニング領域２６Ｂ1においてトレーニングを行い、第６使用者Ｕ6が第２トレーニング領域２６Ｂ2においてトレーニングを行う状態を示す。
【００４９】
図４の状態では、使用者６名に対して、トレーニング部が８と２つ余った状態である。従って、さらに使用者を２名増員することが可能である。この場合、空いている第３、第４トレーニング部Ｂ3、Ｂ4の第３、第４出力部２３Ｂ3、２３Ｂ4で対応する第３、第４トレーニング領域２６Ｂ3、２６Ｂ4が使用可能である旨を表示する（不図示）。
【００５０】
図４の状態において、第５出力部２３Ｂ5は第１使用者Ｕ1に対して情報及び画像表示（第５トレーニング情報表示領域２３１Ｂ5と第５イメージ画像表示領域２３２Ｂ5の表示）を行う。第６出力部２３Ｂ6は第２使用者Ｕ2に対して情報及び画像表示（第６トレーニング情報表示領域２３１Ｂ6と第６イメージ画像表示領域２３２Ｂ6の表示）を行う。第７出力部２３Ｂ7は第３使用者Ｕ3に対して情報及び画像表示（第７トレーニング情報表示領域２３１Ｂ7と第７イメージ画像表示領域２３２Ｂ7の表示）を行う。第８出力部２３Ｂ8は第４使用者Ｕ4に対して情報及び画像表示（第８トレーニング情報表示領域２３１Ｂ8と第８イメージ画像表示領域２３２Ｂ8の表示）を行う。第１出力部２３Ｂ1は第５使用者Ｕ5に対して情報及び画像表示（第１トレーニング情報表示領域２３１Ｂ1と第１イメージ画像表示領域２３２Ｂ1の表示）を行う。第２出力部２３Ｂ2は第６使用者Ｕ6に対して情報及び画像表示（第２トレーニング情報表示領域２３１Ｂ2と第２イメージ画像表示領域２３２Ｂ2の表示）を行う。第３、第４出力部２３Ｂ3、２３Ｂ4は使用者のための情報及び画像表示を行わなくてもよい。
【００５１】
図４の状態から、第１インターバルｔａ１経過後であって第２インターバルｔａ２経過するまでの間は、第５出力部２３Ｂ5は第１使用者Ｕ1に対して隣の第６トレーニング領域２６Ｂ6に移動する旨の移動指示表示（第５移動指示表示領域２３３Ｂ5）を表示する。第６出力部２３Ｂ6は第２使用者Ｕ2に対して隣の第７トレーニング領域２６Ｂ7に移動する旨の移動指示表示（第６移動指示表示領域２３３Ｂ6）を表示する。第７出力部２３Ｂ7は第３使用者Ｕ3に対して隣の第８トレーニング領域２６Ｂ8に移動する旨の移動指示表示（第７移動指示表示領域２３３Ｂ7）を表示する。第８出力部２３Ｂ8は第４使用者Ｕ4に対して隣の第１トレーニング領域２６Ｂ1に移動する旨の移動指示表示（第８移動指示表示領域２３３Ｂ8）を表示する。第１出力部２３Ｂ1は第５使用者Ｕ5に対して隣の第２トレーニング領域２６Ｂ2に移動する旨の移動指示表示（第１移動指示表示領域２３３Ｂ1）を表示する。第２出力部２３Ｂ2は第６使用者Ｕ6に対して隣の第３トレーニング領域２６Ｂ3に移動する旨の移動指示表示（第２移動指示表示領域２３３Ｂ2）を表示する。
【００５２】
この時、第６移動指示表示領域２３３Ｂ6は、次に第６トレーニング領域２６Ｂ6に移動してくる第１使用者Ｕ1に対して使用者名称を確認する旨の表示も行う。第７移動指示表示領域２３３Ｂ7は、次に第７トレーニング領域２６Ｂ7に移動してくる第２使用者Ｕ2に対して使用者名称を確認する旨の表示も行う。第８移動指示表示領域２３３Ｂ8は、次に第８トレーニング領域２６Ｂ8に移動してくる第３使用者Ｕ3に対して使用者名称を確認する旨の表示も行う。第１移動指示表示領域２３３Ｂ1は、次に第１トレーニング領域２６Ｂ1に移動してくる第４使用者Ｕ4に対して使用者名称を確認する旨の表示も行う。第２移動指示表示領域２３３Ｂ2は、次に第２トレーニング領域２６Ｂ2に移動してくる第５使用者Ｕ5に対して使用者名称を確認する旨の表示も行う。第３移動指示表示領域２３３Ｂ3は、次に第３トレーニング領域２６Ｂ3に移動してくる第６使用者Ｕ6に対して使用者名称を確認する旨の表示も行う。
【００５３】
図４の状態から、第１インターバルｔａ１経過後には、第１使用者Ｕ1が第６トレーニング領域２６Ｂ6に移動してトレーニングを行い、第２使用者Ｕ2が第７トレーニング領域２６Ｂ7に移動してトレーニングを行い、第３使用者Ｕ3が第８トレーニング領域２６Ｂ8に移動してトレーニングを行い、第４使用者Ｕ4が第１トレーニング領域２６Ｂ1に移動してトレーニングを行い、第５使用者Ｕ5が第２トレーニング領域２６Ｂ2に移動してトレーニングを行い、第６使用者Ｕ6が第３トレーニング領域２６Ｂ3に移動してトレーニングを行う。
【００５４】
図４の状態から、第１インターバルｔａ１経過後であって第２インターバルｔａ２経過後には（図５参照）、第６出力部２３Ｂ6は第１使用者Ｕ1に対して情報及び画像表示（第６トレーニング情報表示領域２３１Ｂ6と第６イメージ画像表示領域２３２Ｂ6の表示）を行う。第７出力部２３Ｂ7は第２使用者Ｕ2に対して情報及び画像表示（第７トレーニング情報表示領域２３１Ｂ7と第６イメージ画像表示領域２３２Ｂ7の表示）を行う。第８出力部２３Ｂ8は第３使用者Ｕ3に対して情報及び画像表示（第８トレーニング情報表示領域２３１Ｂ8と第８イメージ画像表示領域２３２Ｂ8の表示）を行う。第１出力部２３Ｂ1は第４使用者Ｕ4に対して情報及び画像表示（第１トレーニング情報表示領域２３１Ｂ1と第１イメージ画像表示領域２３２Ｂ1の表示）を行う。第２出力部２３Ｂ2は第５使用者Ｕ5に対して情報及び画像表示（第２トレーニング情報表示領域２３１Ｂ2と第２イメージ画像表示領域２３２Ｂ2の表示）を行う。第３出力部２３Ｂ3は第６使用者Ｕ6に対して情報及び画像表示（第３トレーニング情報表示領域２３１Ｂ3と第３イメージ画像表示領域２３２Ｂ3の表示）を行う。第４、第５出力部２３Ｂ4、２３Ｂ5は使用者のための情報及び画像表示を行わなくてもよい。
【００５５】
図５の状態では、使用者６名に対して、トレーニング部が８と２つ余った状態である。従って、さらに使用者を２名増員することが可能である。この場合、空いている第４、第５トレーニング部Ｂ4、Ｂ5の第４、第５出力部２３Ｂ4、２３Ｂ5で対応する第４、第５トレーニング領域２６Ｂ4、２６Ｂ5が使用可能である旨を表示する（不図示）。
【００５６】
本実施形態では、インストラクターなどの人手に頼ることなく、複数のトレーニング領域を使用したトレーニングを同時に複数の使用者が行うことが可能になる。トレーニングに関する情報は、トレーニング領域に居る使用者が視認出来る位置に配置された出力部の表示内容により確認できるので、使用するトレーニング領域を移動するタイミング、負荷量などを容易に確認できる。
【００５７】
なお、本実施形態では、使用者特定端末Ａと、第１〜第Ｎトレーニング部Ｂ1〜ＢNとがネットワークを通じて信号の送受信が可能な形態を説明したがこれに限られない。例えば、使用者特定端末Ａの制御部１１Ａにより、ネットワークを介さずに直接的に第１〜第Ｎ出力部２３Ｂ1〜２３ＢNなどと接続して制御してもよい。
【００５８】
第１〜第Ｎトレーニング領域２６Ｂ1〜２６ＢNは、使用者により負荷量を調節可能なトレーニング領域であるとして説明したが、油圧を使って負荷量を調整する油圧式のトレーニング領域であってもよい。この場合、負荷量を使用者に応じて設定する手間を省くことが可能になる。
【００５９】
また、使用者特定端末Ａを使って、トレーニングシステム１を利用する使用者を特定する形態を説明したが、特定せず、第１インターバルｔａ１ごとに第１〜第Ｎ出力部２３Ｂ1〜２３ＢNにおいて隣接するトレーニング領域に移動する旨の表示を行う形態であってもよい。
【００６０】
また、使用者が環状の外側を向いた状態でトレーニングを行う形態を説明したが、第１〜第Ｎトレーニング領域Ｂ1〜ＢNが配置された環状の内側に第１〜第Ｎ出力部２３Ｂ1〜２３ＢNを設け、使用者が内側を向いた状態でトレーニングを行っても良い。この場合、使用者同士が向かい合った状態になるが、出力部などで顔を合わせないようにすることが可能であるし、さらに環状の中央に柱などがあればさらに顔を合わせないようにすることが可能になる。
【００６１】
また、本実施形態では、出力部とトレーニング部の数が同じであるとして説明したが、一つの出力部で、複数の画面を表示することにより、複数のトレーニング領域に居る使用者の為の情報を表示させてもよい。
【図面の簡単な説明】
【００６２】
【図１】本実施形態におけるトレーニングシステムの構成図である。
【図２】第ｎ出力部が表示する第ｎトレーニング情報表示領域と、第ｎイメージ画像表示領域とを示す構成図である。
【図３】第ｎ出力部が表示する第ｎ移動指示表示領域を示す構成図である。
【図４】トレーニングシステムを示す斜視図である。
【図５】図４の状態から、使用者が隣接するトレーニング領域に移動した状態を示す斜視図である。
【符号の説明】
【００６３】
１  トレーニングシステム
Ａ  使用者特定端末
Ｂ1〜ＢN  第１〜第Ｎトレーニング部
Ｂn  第ｎトレーニング部
ＩＴＲ  移動指示情報
ＩＵ1〜ＩＵM  第１〜第Ｍ使用者情報
ＩＵm  第ｍ使用者情報
ｔ１〜ｔ２  第１〜第２時間
ｔａ１、ｔａ２  第１、第２インターバル
ｔｔm  第ｍ総トレーニング時間
Ｕ1〜ＵM  第１〜第Ｍ使用者
Ｕm  第ｍ使用者
１１Ａ  制御部
１２Ａ  入力部
１３Ａ  出力部
１４Ａ  記録部
２１Ｂ1〜２１ＢN  第１〜第Ｎ制御部
２１Ｂn  第ｎ制御部
２２Ｂ1〜２２ＢN  第１〜第Ｎ入力部
２２Ｂn  第ｎ入力部
２３Ｂ1〜２３ＢN  第１〜第Ｎ出力部
２３Ｂn  第ｎ出力部
２３１Ｂn  第ｎトレーニング情報表示領域
２３２Ｂn  第ｎイメージ画像表示領域
２３３Ｂn  第ｎ移動指示表示領域
２６Ｂ1〜２６ＢN  第１〜第Ｎトレーニング領域
２６Ｂn  第ｎトレーニング領域
【図１】
2007181528.tif 000003
【図２】
2007181528.tif 000004
【図３】
2007181528.tif 000005
【図４】
2007181528.tif 000006
【図５】
2007181528.tif 000007